(57)【特許請求の範囲】
【請求項１】
前面にアダプタ取付部を備え、マウントレールに取付けて段積みされるスプライスユニットであって、ユニット本体は左右の端部にマウントレールへの取付部を備え、一方の取付部からユニット本体の内側に離間した位置に、引き出し部を前方に引き出し可能に支持する引き出しレールを設け、この引き出しレールと前記一方の取付部との間に２次側配線の余長収納空間を形成し、この余長収納空間に、前部の一端が引き出し部に固定され、前部の他端がユニット本体に固定され、後部をＵ字状に湾曲させた変形可能なケーブルガイドを取り付け、このケーブルガイドの内部に２次側配線を支持させたことを特徴とするスプライスユニット。
【請求項２】
２次側配線はユニット本体の前端部から引き出されることを特徴とする請求項１記載のスプライスユニット。
【請求項３】
ユニット本体の１次側配線入線部を、２次側配線の余長収納空間とは反対側に設けたことを特徴とする請求項１記載のスプライスユニット。
【請求項４】
２次側配線の余長収納空間に、２次側配線を支持するケーブルガイドを着脱自在に取り付けたことを特徴とする請求項１記載のスプライスユニット。
【請求項５】
ユニット本体を一体に形成し、その左右の側面にマウントレールへの取付部を設けたことを特徴とする請求項１〜４の何れかに記載のスプライスユニット。
【発明の詳細な説明】
【技術分野】
【０００１】
本発明は、ラックに段積みされ、光ファイバの接続に用いられるスプライスユニットに関するものである。
【背景技術】
【０００２】
ラックに段積みされて用いられるスプライスユニットは、特許文献１に示されるように従来から知られている。このスプライスユニットは、ユニット本体にレールに沿って手前側に引き出し可能な引き出し部を設けたもので、この引き出し部の前面に、光ファイバの芯線の本数に対応する多数のアダプタを備えている。
【０００３】
光ファイバケーブルはユニット本体に背面から引き込まれてケーブルクランプで固定され、屈曲自在なケーブルダクトによって、光ファイバの許容曲げ半径を確保しつつ保持されながら、引き出し部に接続されている。ケーブルダクトは引き出し部の動きに追随できる長さを備えており、光ファイバケーブルの引き出し余長を確保している。このように、アダプタの１次側の光ファイバケーブルの余長は、スプライスユニットの内部に収納されている。
【０００４】
しかし、アダプタの前面に接続される多数本の光ファイバの２次側配線は、引き出しに必要な余長を確保するためにスプライスユニットの前面にたるませて配線されている。このため、他の段のスプライスユニットの引き出し操作をする際に、垂れ下がった２次側配線が邪魔になるという問題があった。
【０００５】
またこの問題を解決するために、前面にアダプタが取付けられたユニットが蝶番によって水平面内で開閉できるようにした構造のスプライスユニットも開発されている。この構造では引き出しは行われないので、蝶番の近傍に２次側配線を集めれば、下方にたるませる必要はなくなる。
【０００６】
しかしこの構造は、蝶番を中心とした開閉式であるため、ユニットの奥行をスプライスユニットの幅より大きくすると回転できなくなる。このためユニットの奥行に制限がある。また、蝶番による片持ち構造であるため、強度上の制約があり、スプライスユニットの幅も大きくすることができない。従ってユニットのサイズが制約され、多心数の光ファイバケーブルを収納することができないという問題があった。
【先行技術文献】
【特許文献】
【０００７】
【特許文献１】特開２００５−１４８３２７号公報
【発明の概要】
【発明が解決しようとする課題】
【０００８】
従って本発明の目的は上記した従来の問題点を解決し、引き出し構造でありながら、２次側配線をたるませて余長を持たせる必要がなく、しかもユニットを大型化して多心数の光ファイバケーブルを収納可能としたスプライスユニットを提供することである。
【課題を解決するための手段】
【０００９】
上記の課題を解決するためになされた本発明は、前面にアダプタ取付部を備え、マウントレールに取付けて段積みされるスプライスユニットであって、ユニット本体は左右の端部にマウントレールへの取付部を備え、一方の取付部からユニット本体の内側に離間した位置に、引き出し部を前方に引き出し可能に支持する引き出しレールを設け、この引き出しレールと前記一方の取付部との間に２次側配線の余長収納空間を形成し、この余長収納空間に、前部の一端が引き出し部に固定され、前部の他端がユニット本体に固定され、後部をＵ字状に湾曲させた変形可能なケーブルガイドを取り付け、このケーブルガイドの内部に２次側配線を支持させたことを特徴とするものである。
【００１０】
なお請求項２のように、２次側配線はユニット本体の前端部から引き出されることが好ましく、また請求項３のように、ユニット本体の１次側配線入線部を、２次側配線の余長収納空間とは反対側に設けた構造とすることが好ましい。また請求項４のように、２次側配線の余長収納空間に、２次側配線を支持するケーブルガイドを着脱自在に取り付けた構造とすることが好ましい。さらに請求項５のように、ユニット本体を一体に形成し、その左右の側面にマウントレールへの取付部を設けた構造とすることが好ましい。
【発明の効果】
【００１１】
本発明によれば、ユニット前面のアダプタ取付部に取り付けられるアダプタに接続される２次側配線の余長を、ユニット本体に形成された余長収納空間に設けられたケーブルガイドに収納することができ、従来のように２次側配線をたるませる必要はない。このため、他の段のスプライスユニットの引き出し操作をする際に、垂れ下がった２次側配線が邪魔になることがない。また、引き出し操作を行なっても２次側配線の光コードが断線するおそれがない。さらにユニット本体は左右の端部にマウントレールへの取付部を備え両側で支持されるので、幅を拡大することができる。しかも開閉式ではないので、引き出し部の奥行サイズも十分に取ることができ、ユニットを大型化して多心数の光ファイバケーブルを収納することができる。
【００１２】
請求項３の発明によれば、１次側配線と２次側配線をユニット本体の左右に分けることができるので、効率的な配置を取ることができる。
【００１３】
請求項４の発明によれば、ケーブルガイドを簡単に取外すことができるので、ケーブルガイドを取り外した状態で光ケーブルの配線作業を行うことができ、作業性を向上させることができる。
【００１４】
請求項５の発明によれば、ユニット本体を一体に形成し、ユニット本体の内部に引き出しレールが取付けられているので、サイズを大型化しても十分な強度を得ることができ、構造も簡単である。
【図面の簡単な説明】
【００１５】
【図１】本発明の実施形態を示す斜視図である。
【図２】本発明の実施形態を示す正面図である。
【図３】本発明の実施形態を示す水平断面図である。
【図４】引き出し状態を示す水平断面図である。
【図５】引き出し状態を示す斜視図である。
【図６】引き出し状態を示す反対側からの斜視図である。
【図７】２次側配線を支持するためのケーブルガイドの取付け構造を示す斜視図である。
【図８】２次側配線を支持するためのケーブルガイドの取付け構造を示す斜視図である。
【発明を実施するための形態】
【００１６】
以下に図面を参照しつつ、本発明の実施形態を説明する。
図１は本発明の実施形態を示す斜視図、図２はその正面図である。これらの図に示されるように、本発明のスプライスユニットは、ラックに多段に段積みされて使用されるものである。
【００１７】
本発明のスプライスユニットは、図１、図３に示されるように、四角形のボックス状のユニット本体１の左右両端にマウントレールへの取付部２を備え、ラックの両側のマウントレール３、３にボルト４で固定されている。ユニット本体１は一体構造の金属板製であり、十分な強度を備えている。取付部２はこの実施形態では水平断面がＬ字状の金具である。
【００１８】
ユニット本体１の一方の端部（図面の右側端部）からユニット本体１の内側に離間した位置に、（右側の）引き出しレール５が前後方向に設けられている。またユニット本体１の他方の端部（図面の左側端部）には、（左側の）引き出しレール６が前後方向に設けられている。図５に明示されるように、これらの引き出しレール５、６は固定レール５ａ、６ａとスライドレール５ｂ、６ｂとからなり、固定レール５ａ、６ａがユニット本体１に固定され、スライドスライドレール５ｂ、６ｂには引き出し部７が取付けられている。
【００１９】
引き出し部７は扁平な四角枠状のもので、その前面には多数のアダプタが取付けられる。しかし本願の各図面には、アダプタ取付部８のみが図示されており、アダプタ及びアダプタに接続される２次側配線は省略されている。これらの引き出しレール５、６に支持された引き出し部７は、図３に示した収納位置から図４に示した引き出し位置まで、前方に引き出すことができる。引き出し部７の前面にはマネージメントパネル２３が設けられており、２次側配線の整線を容易化するとともに、２次側配線の下方への垂れ下がりを防止している。
【００２０】
なお、図５に示されるように引き出しレール５の内側のユニット本体１には仕切り板９が設けられており、引き出しレール５を取付けるための部材として機能するとともに、横幅の大きいユニット本体１の補強部材として機能している。
【００２１】
ユニット本体１の片側側面には、１次側配線入線部１０が形成されており、この１次側配線入線部１０から引き込まれた１次側配線は、従来と同様に屈曲自在なケーブルダクト１１によって、光ファイバの許容曲げ半径（３０ｍｍ）を確保しつつ保持されながら、引き出し部７に接続されている。この１次側配線入線部１０は引き出しレール５の下側に形成されているので、図３、図４に示すように引き出し部７を引出した場合にも、１次側配線を引き出し部７に接続することができる。この構造によって、１次側配線の引き出し余長をユニット本体１の内部に確保することができる。
【００２２】
前記したように、（右側の）引き出しレール５はユニット本体１の一方の端部（右側の端部）から離間した位置にある。本発明ではこの引き出しレール５と一方の取付部２との間に、２次側配線の余長収納空間１２が形成されている。この２次側配線の余長収納空間１２と１次側配線入線部１０はユニット本体１の反対側に形成されている。
【００２３】
２次側配線の余長収納空間１２には、２次側配線を支持するためのケーブルガイド１３が着脱自在に取付けられており、その内部にアダプタから引き出された多数本の２次側配線を収納できるようになっている。ケーブルガイド１３としては市販品を用いることができ、その一端は引き出し部７の前端部に固定され、その他端はユニット本体１の前端部に固定されている。また図３、図４に示すように、その後部はＵ字状に湾曲している。このため、アダプタから引き出された２次側配線は引き出し部７の前端からケーブルガイド１３内に引き込まれ、ユニット本体１の前端部からラック内に引き出される。
【００２４】
図３、図４に示すようにケーブルガイド１３は引き出し部７の引き出しに応じて変形しつつ、２次側配線をその内部に支持する。このため本発明によれば、従来のように２次側配線をユニット本体１の前面側にたるませて引き出し余長を確保する必要がなくなり、他の段のスプライスユニットの引き出し操作をする際に、垂れ下がった２次側配線が邪魔になることがない。
【００２５】
図７、図８に示すように、ケーブルガイド１３の両端には固定板１４が設けられており、複数本のボルト１５によって水平断面が７字状の取付板１６に固定されている。この取付板１６は単一の取付けねじ１７によって、引き出し部７の前端面１８に固定され、またユニット本体１の前端面１９に固定されている。この構造により、取付けねじ１７を操作するだけでケーブルガイド１３を簡単に着脱することが可能となり、配線作業性を向上させることができる。
【００２６】
なお図７に示すように、引き出し部７の前端部には引き出し用のフック２０が設けられているが、その背面であってスライドレール５ｂ、６ｂの上方位置には弾性爪を備えたロック機構２１が設けられている。また図５に示すように、ユニット本体１にはこのロック機構２１の受け部２２が設けられている。このため常時は引き出し部７を、図３に示す収納位置にロックしておくことができる。これらのロック機構２１とその受け部２２はスペースの有効利用を図るため、引き出しレール５の上部のスペースに設けられている。
【００２７】
以上に説明したように、本発明のスプライスユニットは、引き出し構造を採用したためユニットの奥行を十分に取ることができる。また一体形成されたユニット本体１の両側をマウントレール３に保持させた構造であるから、ユニットの横幅も大きく取ることができる。従ってユニットを大型化して多心数の光ファイバケーブルを収納することができる。
【００２８】
また本発明のスプライスユニットは、ユニットの内部に２次側配線の収納用空間１２を形成したので、従来のように２次側配線が垂れ下がることもなく、配線作業性を大幅に高めることができる利点がある。
【符号の説明】
【００２９】
１  ユニット本体
２  マウントレールへの取付部
３  マウントレール
４  ボルト
５  引き出しレール
５ａ  固定レール
５ｂ  スライドスライドレール
６ａ  固定レール
６ｂ  スライドスライドレール
７  引き出し部
８  アダプタ取付部
９  仕切り板
１０  １次側配線入線部
１１  ケーブルダクト
１２  ２次側配線の余長収納空間
１３  ケーブルガイド
１４  固定板
１５  ボルト
１６  取付板
１７  取付けねじ
１８  引き出し部の前端面
１９  ユニット本体の前端面
２０  引き出し用のフック
２１  ロック機構
２２  受け部
２３  マネージメントパネル
【図１】
0006472260.tif 000002
【図２】
0006472260.tif 000003
【図３】
0006472260.tif 000004
【図４】
0006472260.tif 000005
【図５】
0006472260.tif 000006
【図６】
0006472260.tif 000007
【図７】
0006472260.tif 000008
【図８】
0006472260.tif 000009